(57)【要約】【課題】  安全性を高める暗証番号変更機能を有するロックを提供する。【解決手段】  ロック１０のアクティブプレート３０、ダイヤル錠４０はハウジングに装着され、かつ回転つまみ４１と弾性ユニット３８、二つの回転盤４３ａ、４３ｂ、二つの歯車４４ａ、４４ｂと番号変更制御ユニット４７を有する。回転つまみ４１は軸部４１４を有し、弾性ユニット３８、回転盤４３ａ、４３ｂは軸部に被さるように装着され、かつ回転盤４３ａ、４３ｂは嵌合溝４３６を有する。二つの歯車は二つの回転盤４３ａ、４３ｂと噛み合うように装着され、かつそのうちの一つの歯車は弾性ユニット３８に突き当たる。番号変更制御ユニット４７は回転可能なように軸部に被さり、別の歯車に突き当たるように装着されることにより歯車と回転盤を分離させることが可能である。【選択図】図１
0003133914.tif 000002
【実用新案登録請求の範囲】
【請求項１】
ハウジングと、
前記ハウジングに装着されるアクティブプレートと、
前記ハウジングに装着され、かつ回転つまみと弾性ユニット、二つの回転盤、二つの歯車と番号変更制御ユニットを有し、前記回転つまみは軸部を有し、前記弾性ユニットは軸部に被さるように装着され、前記回転盤は軸部に被さるように装着され、かつ嵌合溝を有し、二つの前記歯車は軸部に被さり、二つの前記回転盤と噛み合うように装着され、かつ一つの前記歯車は前記弾性ユニットに突き当たり、番号変更制御ユニットは回転可能なように軸部に被さり、別の歯車に突き当たるように装着されるダイヤル錠と、
移動可能なようにハウジングに装着される移動ユニットとを備え、ダイヤル錠が解錠状態を呈する場合、嵌合溝は互いに繋がるため、移動ユニットは嵌合溝に入り込むことが可能であり、またダイヤル錠が施錠状態を呈する場合、嵌合槽は相互交錯するため、移動ユニットは嵌合溝から分離し、アクティブプレートを押し付けることが可能であることを特徴とするロック。
【請求項２】
番号変更制御ユニットはクラッチと回転ユニットを有し、クラッチは穿孔を有し、穿孔は内壁に第一斜面を有し、前記回転ユニットは突柱を有し、前記突柱は外周面に第二斜面を有するため、前記突柱は穿孔を貫通し、第二斜面は第一斜面に突き当たることが可能であることを特徴とする請求項１に記載のロック。
【請求項３】
ダイヤル錠は二つの位置決めユニットと二つの回転方向制御ユニットを有し、前記位置決めユニットは歯車と噛み合うように前記ハウジングに装着され、回転方向制御ユニットは軸部に突き当たるように歯車に装着されることを特徴とする請求項１に記載のロック。
【請求項４】
軸部は軸部の向かい合う側に別々に配置される二つの陥凹部を有し、そのうちの一つの陥凹部は別の陥凹部の下方に位置付けられ、歯車は陥凹部に対応する陥凹溝を有し、回転方向制御ユニットは軸部の陥凹部に突き当たるように歯車の陥凹溝に装着されることを特徴とする請求項３に記載のロック。
【請求項５】
番号変更制御ユニットは底部に溝を有することを特徴とする請求項１に記載のロック。
【請求項６】
開錠位置と施錠位置の間を回転可能なようにハウジングに装着され、かつクラッチを有するシリンダー錠を含み、前記シリンダー錠が解錠位置に据えられる場合、前記クラッチは前記アクティブプレートを押し付けることが可能であり、また前記シリンダー錠が施錠位置に据えられる場合、前記クラッチは前記アクティブプレートから分離することが可能であることを特徴とする請求項１に記載のロック。
【請求項７】
前記シリンダー錠の前記クラッチは斜面を有し、前記アクティブプレートは延伸部を有するため、前記シリンダー錠が解錠位置に据えられる場合、斜面は延伸部を押し付けることが可能であり、また前記シリンダー錠が施錠位置に据えられる場合、斜面は延伸部から分離することが可能であることを特徴とする請求項６に記載のロック。
【請求項８】
さらにハウジングと移動ユニットの間に装着される弾性ユニットを含むことを特徴とする請求項１に記載のロック。
【請求項９】
前記移動ユニットは制止部を有し、制止部は嵌合溝に入り込むかそれと分離することが可能であることを特徴とする請求項１に記載のロック。
【考案の詳細な説明】
【技術分野】
【０００１】
本考案は、ロック、特に暗証番号変更機能付きロックに関するものである。
【背景技術】
【０００２】
一般のロックはダイヤル錠とシリンダー錠の二種類に分けられる。ロックがダイヤル錠である場合、使用者は特定の数字を入力しなければならない。またロックがシリンダー錠である場合、使用者はそれに対応する鍵を鍵穴に挿入して鍵穴を回転させないとアタッシュケースが開かない。
しかし、ダイヤル錠の使用者が開錠番号を忘れてしまうと、ロックは開かない。ロックを開けるにはロックを修理に出す必要があるため、使用に不便な点があるだけでなく非常に使用者を困らせる。またシリンダー錠の使用者が鍵を失くした場合も、ロックを開けるのにほかの方法に頼る必要がある。
【０００３】
また一般のダイヤル錠には暗証番号変更機能が付いていないため、ダイヤル錠の暗証番号は変更できず固定される。暗証番号を分かりやすく設定、或いは暗証番号を忘れないように紙やノートに書くと、悪意のある人に解読されたり、暗証番号が盗まれたりしやすいため、使用者に大きな損失を与える恐れがある。
【考案の開示】
【考案が解決しようとする課題】
【０００４】
本考案の主な目的は安全性を高める暗証番号変更機能を有するロックを提供することである。
本考案のもう一つの目的は、ダイヤル錠とシリンダー錠を兼ね備えることにより、使用者にダイヤル錠による開錠またはシリンダー錠による開錠を選択させることを可能にするロックを提供することである。
【課題を解決するための手段】
【０００５】
上述の目的を達成するために、本考案によるロックはハウジング、アクティブプレート、ダイヤル錠と移動ユニットを備える。アクティブプレートはハウジングに装着される。ダイヤル錠はハウジングに装着され、かつ回転つまみと弾性ユニット、二つの回転盤、二つの歯車と番号変更制御ユニットを有する。回転つまみは軸部を有する。弾性ユニットは軸部に被さるように装着される。回転盤は軸部に被さるように装着され、かつ嵌合溝を有する。二つの歯車は軸部に被さり、二つの回転盤と噛み合うように装着され、かつそのうちの一つの歯車は弾性ユニットに突き当たる。番号変更制御ユニットは回転可能なように軸部に被さり、別の歯車に突き当たるように装着されることにより歯車と回転盤を分離させることが可能である。移動ユニットは移動可能なようにハウジングに装着され、かつダイヤル錠の制御を受けて嵌合溝に入り込むかそれと分離することが可能である。
【０００６】
ダイヤル錠が開錠状態を呈する場合、嵌合溝は互いに繋がるため、移動ユニットは嵌合溝に入り込むことが可能である。またダイヤル錠が施錠状態を呈する場合、嵌合槽は相互に交錯するため、移動ユニットは嵌合溝と分離し、アクティブプレートを押し付けながらアクティブプレートを回転させる。
【０００７】
また本考案の実施例はシリンダー錠を含む。シリンダー錠は開錠位置と施錠位置の間を回転可能なようにハウジングに装着される。またシリンダー錠はクラッチを有する。シリンダー錠が開錠位置に据えられる場合、クラッチはアクティブプレートを押し付けながらアクティブプレートを回転させる。またシリンダー錠が施錠位置に据えられる場合、クラッチとアクティブプレートとは分離する。
【０００８】
これにより、本考案は番号変更機能により本考案を応用した物品の使用上の安全性を高めることが可能であり、また本考案はダイヤル錠とシリンダー錠を取り組む設計を採用することにより使用者にダイヤル錠による開錠またはシリンダー錠による開錠などの選択肢を提供するため、本考案を応用した物品の使用上の利便性を向上させることが可能である。
【考案を実施するための最良の形態】
【０００９】
以下、本考案の実施例を図面に基づいて説明する。まず図面の説明は下記の通りである。
【００１０】
本考案の実施例によるロックを図１に示す。ロック１０はハウジング２０、アクティブプレート３０、ダイヤル錠４０、移動ユニット５０、弾性ユニット６０とシリンダー錠７０を備える。
ハウジング２０は二つの外蓋２２と一つの底板２４を有する。二つの外蓋２２は合わされるように設けられ、底板２４は二つの外蓋２２の底部に固定される。また底板２４はスリット２４２を有する。
【００１１】
アクティブプレート３０はハウジング２０内に装着され、かつ基部３２と、基部３２から水平に延伸して形成される延伸部３４と、基部３２から垂直に延伸して形成されるストッパー３６とを有する。基部３２は弾性ユニット３８によりハウジング２０の底板２４に突き当たり、かつ弾性ユニット３８の弾性によりハウジング２０に向かい合いながら第一位置、第二位置と第三位置の間を回転することが可能である。
【００１２】
ダイヤル錠４０は回転つまみ４１、弾性ユニット４２、二つの回転盤４３ａ、４３ｂ、二つの歯車４４ａ、４４ｂ、二つの位置決めユニット４５、回転方向制御ユニット４６と番号変更制御ユニット４７を有する。回転つまみ４１は数字盤４１２と、数字盤４１２から延伸して形成される軸部４１４とを有する。数字盤４１２は使用者に使用させるようにハウジング２０の頂面に位置付けられ、軸部４１４はハウジング２０に入り込むように設けられる。また軸部４１４は二つの陥凹部４１６ａ、４１６ｂを有する。図３に示すように二つの陥凹部４１６ａ、４１６ｂは軸部の向かい合う側に別々に配置され、かつそのうちの一つの陥凹部４１６ｂは別の陥凹部４１６ａの下方に位置付けられる。弾性ユニット４２は軸部４１４に被さるように装着される。また弾性ユニット４２の先端部は数字盤４１２の底側に突き当たる。回転盤４３ａ、４３ｂは貫通孔４３２を有するため、回転盤４３ａ、４３ｂは軸部４１４に被さることが可能である。貫通孔４３２は内周面に歯部４３４を有し、回転盤４３ａ、４３ｂは外周面に嵌合溝４３６を有する。それぞれの歯車４４ａ、４４ｂは円孔４４２を有するため、歯車４４ａ、４４ｂは軸部４１４に被さり、回転盤４３ａ、４３ｂの歯部４３４と噛み合うことが可能である。かつそのうちの一つの歯車４４ａの一面は弾性ユニット４２の底部に突き当たり、もう一つの歯車４４ｂの一面は歯車４４ａの底部に突き当たる。また図３に示すように、歯車４４ａ、４４ｂの円孔４４２は内壁に陥凹溝４４４を有する。位置決めユニット４５はハウジング２０に装着され、かつ弾性ユニット４５２の弾力を受けて歯車４４ａ、４４ｂの歯溝４４６と噛み合うことにより歯車４４ａ、４４ｂを数字盤４１２の数字に合わせて回転させることが可能である。回転方向制御ユニット４６は図３に示すように歯車４４ａ、４４ｂの陥凹溝４４４内に装着され、かつ弾性ユニット４６２の弾力を受けて軸部４１４の陥凹部４１６ａ、４１６ｂに突き当たることが可能である。また二つの陥凹部４１６ａ、４１６ｂは軸部４１４の向かい合う側に別々に位置付けられ、かつ逆方向の斜面（図中未表示）を有するため、回転つまみ４１は二つの陥凹部４１６ａ、４１６ｂにより二つの歯車４４ａ、４４ｂを時計回りと反時計回りに回転させ、かつ二つの陥凹部４１６ａ、４１６ｂの斜面により二つの歯車４４ａ、４４ｂを時計回りまたは反時計回りに回転させることが可能である。番号変更制御ユニット４７はクラッチ４８と回転ユニット４９を有する。
【００１３】
図２に示すようにクラッチ４８は穿孔４８２を有するため、クラッチ４８は軸部４１４に被さり、歯車４４ｂの底部に突き当たることが可能である。またクラッチ４８の穿孔４８２は内壁にらせん状の第一斜面４８４を有する。回転ユニット４９は突柱４９２を有し、突柱４９２はクラッチ４８の穿孔４８２を貫通し、また突柱４９２は側面の外周面上にらせん状の第二斜面４９４を有する。第二斜面４９４は第一斜面４８４に対応し、突柱４９２の底部はハウジング２０の底板２４に突出し、また突柱４９２は底部に溝４９６を有するため、使用者は溝４９６に工具を嵌め、回転ユニット４９を回すことが可能である。
【００１４】
移動ユニット５０はハウジング２０に装着される。かつ移動ユニット５０はダイヤル錠４０に向かう一側に制止部５２を有し、移動ユニット５０の底部の末端に近い位置に突出部５４を有する。
弾性ユニット６０は別々にハウジング２０の外蓋２２と移動ユニット５０の末端に突き当たるようにハウジング２０に装着されるため、移動ユニット５０をダイヤル錠４０の二つの回転盤４３a、４３ｂへ移動させる弾力を提供することが可能である。ダイヤル錠４０が開錠状態を呈する場合、二つの嵌合溝４３６は互いに繋がるため、移動ユニット５０の制止部５２は弾性ユニット６０の弾力を受けて二つの嵌合溝４３６に入り込むことが可能である。このときアクティブプレート３０は第一位置に据えられる。またダイヤル錠４０が施錠状態を呈する場合、嵌合槽４３６は相互に交錯するため、移動ユニット５０は二つの回転盤４３ａ、４３ｂから押され、二つの嵌合溝４３６から分離し、かつ弾性ユニット６０を圧縮する。このとき移動ユニット５０の突出部５４はアクティブプレート３０を押し付けながら、アクティブプレート３０を第一位置から第二位置へ回転させる。
【００１５】
シリンダー錠７０はハウジング２０に装着される。図８に示すようにシリンダー錠７０は頂部に鍵穴７２を有し、底部にクラッチ７４を有し、クラッチ７４はらせん状の斜面７４２を有する。またシリンダー錠７０はハウジング２０に向かい合いながら開錠位置と施錠位置の間を回転することが可能である。シリンダー錠７０の鍵穴７２に鍵を入れて回せば、シリンダー錠７０は開錠位置に据えられ、クラッチ７４を同期回転させる。このとき斜面７４２はアクティブプレート３０の延伸部３４を押すことによりアクティブプレート３０を第二位置から第三位置へ回転させる。またシリンダー錠７０が施錠位置に据えられる場合、クラッチ７４の斜面７４２とアクティブプレート３０の延伸部３４とは分離する。
【００１６】
図３と図４に示すように、使用者がダイヤル錠４０の暗証番号を変更しようとする場合、まず回転ユニット４９の底部の溝４９６に工具を嵌めて力を加えて回転する。この時、回転ユニット４９の第二斜面４９４は形の特性によりクラッチ４８の第一斜面４８４を上向きに押し、クラッチ４８により二つの歯車４４ａ、４４ｂを上向きに動かし、二つの歯車４４ａ、４４ｂと二つの回転盤４３ａ、４３ｂの歯部４３４とを分離させるため、二つの回転盤４３ａ、４３ｂは二つの歯車４４ａ、４４ｂに伴って回転しない。続いて回転つまみ４１を時計回りに回す。この時、回転つまみ４１は陥凹部４１６ａを介して歯車４４ａを回転させることにより数字盤４１２を所定の数字に至るまで回転させることが可能である。続いて回転つまみ４１を反時計回りに回す。この時、回転つまみ４１は陥凹部４１６ｂを介して歯車４４ｂを回転させることにより別の所定の数字に至るまで数字盤４１２を回転させることが可能である。またこの時、回転ユニット４９の溝４９６から工具を外せば、二つの歯車４４ａ、４４ｂは弾性ユニット４２の弾力を受けて二つの回転盤４３ａ、４３ｂの歯部４３４と噛み合うと番号変更の動作が完了する。
【００１７】
本考案をアタッシュケース用ロックに適用した実施例を図５に基づいて説明する。アタッシュケース用ロック８０の細部構造は周知の技術であるため、詳しい説明を省く。
使用者がダイヤル錠４０によりアタッシュケースを開ける場合、まず数字盤４１２を時計回りに回し、数字盤４１２を所定の数字に至るまで回転させる。この時、回転盤４３ａの嵌合溝４３６は移動ユニット５０の制止部５２と噛み合う。続いて数字盤４１を反時計回りに回し、数字盤４１２を別の所定の数字に至るまで回転させる。この時、回転盤４３ｂの嵌合溝４３６は移動ユニット５０の制止部５２と噛み合う。これにより図６に示すように弾性ユニット５２は二つの回転盤４３ａ、４３ｂの方向へ移動ユニット５０を押し、アクティブプレート３０を第一位置に据え、ダイヤル錠４０は開錠状態を呈するため、使用者はプッシュブロック８１を押し、プッシュブロック８１により第一連動ユニット８２を前に押し、続いて第一連動ユニット８２により第二連動ユニット８３と第三連動ユニット８４を押すことが可能である。つまりプッシュブロック８１を押すことにより係止板８５を上に持ち上げ、アタッシュケース用ロック８０を開錠することが可能である。
【００１８】
使用者が係止板８５を閉じて数字盤４１２を任意に回す場合、二つの回転盤４３ａ、４３ｂの嵌合溝４３６は移動ユニット５０の制止部５２から分離する。このとき図７に示すように移動ユニット５０は二つの回転盤４３ａ、４３ｂから押されアクティブプレート３０に突き当たり、アクティブプレート３０を第一位置から第二位置に下げる。ダイヤル錠４０は施錠状態を呈する。第三連動ユニット８４の前端はアクティブプレート３０のストッパー３６によって止められるため、二つのプッシュブロック８１を押しても連動ユニット８６を移動させ、二つの係止板８５を上へ持ち上げることができない。従ってアタッシュケース用ロック８０は開かない。
【００１９】
図８に示すように、使用者がダイヤル錠４０の開錠番号を忘れた場合、シリンダー錠７０の鍵穴７２に鍵を差し込んで回せばよい。この時、シリンダー錠７０のクラッチ７４の斜面７４２はアクティブプレート３０の延伸部３４を押さえながら、アクティブプレート３０を第二位置から第三位置に下げるため、アタッシュケース用ロック８０を開錠することが可能である。
【００２０】
図９は本考案の実施例が掛け金９０に適用された状態である。掛け金９０の細部構造は周知の技術であるため、詳しい説明を省く。
使用者が掛け金９０を使用しようとする場合、まず数字盤４１２を正確な暗証番号に至るまで回す。このときアクティブプレート３０は二つの施錠ブロック９１に対し第一位置へ回転すると同時に二つの施錠ブロック９１の後端から分離するため、使用者が力を加えて蓋９２を外側へ引っ張れば、収容室９３は開放状態を呈する。続いて制御ユニット９４の押しボタン９４２を押し、制御ユニット９４の位置決め部９４４とフック９５の固定部位９５２とを分離させれば、フック９５は開錠状態を呈する。これにより使用者は物品に掛け金９０を掛けたり、メモ用紙または別の小さい物品を収容室９３に入れたりすることが可能である。続いて蓋９２を閉じて数字盤４１２を回す。この時、アクティブプレート３０は二つの施錠ブロック９１の後端に至るまで回転し、かつ第二位置に据えられ、施錠ブロック９１の突出部９１２は移動できず二つの係止部９６の陥凹溝９６２に嵌合されてしまうため、蓋９２は施錠状態を呈する。
【００２１】
また使用者がダイヤル錠４０の開錠番号を忘れた場合、シリンダー錠７０の鍵穴７２に鍵を差し込んで回し、アクティブプレート３０を第二位置から第三位置へ回転させれば、アクティブプレート３０のストッパー３６が二つの施錠ブロック９１の後端の遮断を解除するため、蓋９２を開けて外側へ引っ張ることが可能である。
【００２２】
上述の通り、本考案の二つの実施例から本考案は、別の種類のロックとの組み合わせにより実用性をより高め、かつ本考案を応用したロックの使用上の安全性を高めることが可能であることが判明した。
【図面の簡単な説明】
【００２３】
【図１】本考案の実施例の分解図である。
【図２】本考案の実施例によるクラッチの第一斜面と回転ユニットの第二斜面の状態を示す一部分の分解図である。
【図３】本考案の実施例によるダイヤル錠の暗証番号の変更前の状態を示す一部分の断面図である。
【図４】本考案の実施例によるダイヤル錠の暗証番号の変更後の状態を示す一部分の断面図である。
【図５】本考案の実施例による本考案がアタッシュケース用ロックに適用された状態を示す一部分の斜視図である。
【図６】アクティブプレートが第一位置に据えられる状態を示す一部分の断面図である。
【図７】アクティブプレートが第二位置に据えられる状態を示す一部分の断面図である。
【図８】アクティブプレートが第三位置に据えられる状態を示す一部分の断面図である。
【図９】本考案を掛け金に適用した実施例を示す分解図である。
【図１０】本考案を掛け金に適用した実施例の使用状態を示す模式図である。
【符号の説明】
【００２４】
１０：ロック、２０：ハウジング、２２：外蓋、２４：底板、２４２：スリット、３０：アクティブプレート、３２：基部、３４：延伸部、３６：ストッパー、３８：弾性ユニット、４０：ダイヤル錠、４１：回転つまみ、４１２：数字盤、４１４：軸部、４１６ａ、４６１ｂ：陥凹部、４２：弾性ユニット、４３ａ、４３ｂ：回転盤、４３２：貫通孔、４３４：歯部、４３６：嵌合溝、４４ａ、４４ｂ：歯車、４４２：円孔、４４４：陥凹溝、４４６：歯溝、４５：位置決めユニット、４５２：弾性ユニット、４６：回転方向制御ユニット、４６２：弾性ユニット、４７：番号変更制御ユニット、４８：クラッチ、４８２：穿孔、４８４：第一斜面、４９：回転ユニット、４９２：突柱、４９４：第二斜面、４９６：溝、５０：移動ユニット、５２：制止部、５４：突出部、６０：弾性ユニット、７０：シリンダー錠、７２：鍵穴、７４：クラッチ、７４２：斜面、８０：アタッシュケース用ロック、８１：プッシュブロック、８２：第一連動ユニット、８３：第二連動ユニット、８４：第三連動ユニット、８５：係止板、９０：掛け金、９１：施錠ブロック、９１２：突出部、９２：蓋、９３：収容室、９４：制御ユニット、９４２：押しボタン、９４４：固定部、９５：フック部、９５２：固定部位、９６：係止部、９６２：陥凹溝
【図１】
0003133914.tif 000003
【図２】
0003133914.tif 000004
【図３】
0003133914.tif 000005
【図４】
0003133914.tif 000006
【図５】
0003133914.tif 000007
【図６】
0003133914.tif 000008
【図７】
0003133914.tif 000009
【図８】
0003133914.tif 000010
【図９】
0003133914.tif 000011
【図１０】
0003133914.tif 000012